(57)【要約】【課題】  狭いスペースにも設置可能で、製作コストが安く、しかも効率良くごみ袋を破袋することができるとともに、破袋後のごみ袋やごみの装置への巻付きを防止することのできる破袋装置を提供する。【解決手段】  上方に投入ホッパ及び下方に排出口を有する破袋室内に、複数の回転刃を取り付けた回転軸と回転軸の回転刃と交差する位置に固定刃を配設するとともに、回転軸を挟んで固定刃の反対側に巻付き切断刃をその刃面が回転軸に近接する位置に配設することのより破袋装置を構成する。【選択図】        図１
2005246276.tif 000002
【特許請求の範囲】
【請求項１】
上方に投入ホッパ及び下方に排出口を有する破袋室内に、複数の回転刃を取り付けた回転軸と回転軸の回転刃と交差する位置に固定刃を配設するとともに、回転軸を挟んで固定刃の反対側に巻付き切断刃をその刃面が回転軸に近接する位置に配設したことを特徴とする破袋装置。
【請求項２】
巻付き切断刃を軸挿通孔を有する複数の柱状体により構成し、軸挿通孔よりも外径が小さい保持軸を軸挿通孔に挿通して巻付き切断刃を自由回動可能に軸支したことを特徴とする請求項１に記載の破袋装置。
【請求項３】
巻付き切断刃を構成する柱状体の側面形状が正三角形であり、柱状体の角部に刃面を設けたことを特徴とする請求項１又は２に記載の破袋装置。
【請求項４】
回転刃を回転軸の動力伝達側に向けて、回転軸の回転方向に対して順次後退する位置に配設したことを特徴とする請求項１〜３のいずれかに記載の破袋装置。
【請求項５】
固定刃を台座に固定し、台座をスライド可能に構成したことを特徴とする請求項１〜４のいずれかに記載の破袋装置。
【請求項６】
回転軸の外周部に、回転刃をその先端部が回転軸の半径方向よりも回転方向に対して後退するように配設したことを特徴とする請求項１〜５のいずれかに記載の破袋装置。
【請求項７】
ホッパーに変速可能な搬送手段を配設し、破袋装置への投入量を調整可能としたことを特徴とする請求項１〜６のいずれかに記載の破袋装置。
【発明の詳細な説明】
【技術分野】
【０００１】
本発明は、例えばごみ処理場等において、一般家庭、その他の場所から排出されるごみを収容したごみ袋を破袋するために用いられる、破袋装置に関するものである。
【背景技術】
【０００２】
一般家庭、その他の場所から排出されるごみの多くはポリエチレン等の合成樹脂製のごみ袋に収容されて廃棄され、ごみ処理場に収集された後、ごみ袋から取り出されて可燃ごみ、資源ごみ、不燃ごみ等に分別される。ごみ袋に収容されたごみを可燃ごみ、資源ごみ、不燃ごみ等に分別するには、ごみ袋を破袋してごみ袋からごみを取り出す必要があるが、ごみを収容したごみ袋の破袋作業は容易ではないため、これを機械化した破袋装置が用いられている。
【０００３】
従来の破袋装置としては、上部に投入ホッパ、下部に排出口を設けた破袋室内に２つの破袋軸を平行に取り付け、この破袋軸に破袋刃を放射状に所定間隔で複数設け、この破袋軸間でごみ袋を破袋する破袋装置が知られている。（特許文献１参照）
また、破袋室内に外周に螺旋状のスクリュー刃を有する一対の破袋スクリューを平行に設け、該一対の破袋スクリューを互いに反対方向に周期的に正・逆回転させて、破袋後のごみ袋やごみの巻付きを防止するようにした破袋装置も提案されている。（特許文献２参照）
【０００４】
【特許文献１】特開２００１−２９８３１号公報
【特許文献２】特開２００２−１８６８７２号公報
【０００５】
しかしながら、これら従来の破袋装置では、２つの破袋軸を具備するため、装置自体が大きくなり広い設置スペースを必要とするとともに、装置自体の製作コストが高くなるという問題点がある。
また、特許文献１に記載された破袋装置では、２つの破袋軸を常に一方向に回転させるので、ごみ袋が破袋軸に巻付き易いという欠点がある。一方、特許文献２に記載された破袋装置では、一対の破袋スクリューを周期的に正・逆回転させるために、ごみ袋の処理効率が低下するという問題点がある。
【発明の開示】
【発明が解決しようとする課題】
【０００６】
したがって、本発明はこれら従来技術の問題点を解消して、狭いスペースにも設置可能で、製作コストが安く、しかも効率良くごみ袋を破袋することができるとともに、破袋後のごみ袋やごみの装置への巻付きを防止することのできる破袋装置を提供することを目的とする。
【課題を解決するための手段】
【０００７】
本発明者等は鋭意検討した結果、回転軸に取り付けた複数の回転刃とこれと交差する固定刃によりごみ袋を破袋する破袋装置において、回転軸を挟んで固定刃の反対側に巻付き切断刃を設けることによって、上記課題が解決されることを見出し本発明を完成した。
【０００８】
すなわち、本発明はつぎの１〜７の構成をとるものである。
１．上方に投入ホッパ及び下方に排出口を有する破袋室内に、複数の回転刃を取り付けた回転軸と回転軸の回転刃と交差する位置に固定刃を配設するとともに、回転軸を挟んで固定刃の反対側に巻付き切断刃をその刃面が回転軸に近接する位置に配設したことを特徴とする破袋装置。
２．巻付き切断刃を軸挿通孔を有する複数の柱状体により構成し、軸挿通孔よりも外径が小さい保持軸を軸挿通孔に挿通して巻付き切断刃を自由回動可能に軸支したことを特徴とする１に記載の破袋装置。
３．巻付き切断刃を構成する柱状体の側面形状が正三角形であり、柱状体の角部に刃面を設けたことを特徴とする１又は２に記載の破袋装置。
４．回転刃を回転軸の動力伝達側に向けて、回転軸の回転方向に対して順次後退する位置に配設したことを特徴とする１〜３のいずれかに記載の破袋装置。
５．固定刃を台座に固定し、台座をスライド可能に構成したことを特徴とする１〜４のいずれかに記載の破袋装置。
６．回転軸の外周部に、回転刃をその先端部が回転軸の半径方向よりも回転方向に対して後退するように配設したことを特徴とする１〜５のいずれかに記載の破袋装置。
７．ホッパーに変速可能な搬送手段を配設し、破袋装置への投入量を調整可能としたことを特徴とする１〜６のいずれかに記載の破袋装置。
【発明を実施するための最良の形態】
【０００９】
つぎに、図に基づいて本発明の好ましい実施の形態について説明するが、以下の具体例は本発明を限定するものではない。
図１〜図４は、本発明の破袋装置の１例を示す図であり図１は破袋装置全体の横断面を示す模式図である。また、図２はこの破袋装置の破袋室内部の平面模式図、図３は破袋室内部を巻付き切断刃側（図１の左側）から見た正面模式図、そして図４は巻付き切断刃の作用を説明する模式図である。
【００１０】
この破袋装置１の上方には、ガイド板２１、２２、２３を具備するホッパー２が設けられ、その内部には変速可能なベルトコンベア３が配置され、装置内へのごみ袋の投入量を調整することができる。
ホッパー２に連続する破袋室４には、複数の回転刃５を外周部に取り付けた回転軸６が設置され、回転刃５と交差する位置に櫛歯状の刃先１７を有する固定刃７が設けられている。また、回転軸６を挟んで固定刃７の反対側には、回転刃５や回転軸６に巻付いた破袋後のごみ袋やごみを切断する巻付き切断刃８が、その刃面８３が回転軸６に近接する位置に配設されている。そして、破砕室４の下方には排出口１１が設けられている。
【００１１】
巻付き切断刃８は、側面の形状が正三角形の複数の柱状体の中心部に設けた軸挿通孔８１に、この軸挿通孔８１の径よりも小さい外径を有する保持軸８２を挿入し、保持軸８２の両端部を破袋装置に固定することにより構成されている。
この巻付き切断刃８は、金属等の自重のある材料により構成され、回転力を受けたときには保持軸８２の周囲を自由に回動することができるが、通常は図４（Ａ）にみられるように、側面からみて正三角形の底辺が水平になる位置に保持軸８２により軸支されている。そして、各角部には鋭利な刃面８３が固定されている。
【００１２】
この破袋装置１のホッパー２にごみを収容したごみ袋を投入すると、ごみ袋はベルトコンベア３により搬送され、ガイド板２２、２３により破袋室４に送られる。そして、破袋室４内で実線矢印方向に回転する回転刃５と、これと交差する櫛歯状の刃先１７を有する固定刃７により破袋され、破袋されたごみ袋とごみが排出口１１に送られる。
【００１３】
破袋されたごみ袋やごみ（以下、単に「ごみ」と言う）３０が回転軸６に巻付くと、図４（Ａ）で実線矢印で示した方向に回転軸６が回転すると、巻付いたごみ３０が巻付き切断刃８の角部に設けた刃面８３にひっかかり、巻付き切断刃８を保持軸８２の周りで点線矢印方向に回動させる［図４（Ｂ）参照］。このときに、巻付き切断刃８は重力により点線矢印とは逆方向に回動しようとし、刃面８３によってごみ３０が切断され巻付きが解除される。ごみ３０の巻付きが解除されると、巻付き切断刃８は自重により保持軸８２の周りで回動し、図４（Ｂ）の状態から図４（Ａ）の状態に復元する。
【００１４】
このようにして、この破袋装置１では、モーター等の駆動手段を必要とせずに、回転軸６や回転刃５に巻付いたごみ３０を自動的に切断し、巻付きを解除することができる。
この例では、巻付き切断刃８を側面の形状が正三角形の柱状体により構成したが、五角形、六角形、八角形等他の側面形状を有する柱状体により構成することもできる。また、巻付き切断刃８の数は任意に設定することができる。さらに、巻付き切断刃８の下部［例えば図４（Ａ）の状態の底辺部］に重りを設け、巻付いたごみ３０の切断をし易くするようにしてもよい。
【００１５】
回転軸６に取り付ける複数の回転刃５は、図２にみられるように、回転軸６の動力伝達側１６に向けて、矢印で示した回転方向に対して順次後退する位置に配設し、ごみ袋の回転刃５と固定刃７による破袋時期を分散させ、破砕装置に過度の応力がかかるのを防止するとともに、処理物を動力伝達側１６に移動させて回転軸６の回転を容易にすることができる。また、個々の回転刃５の寸法や形状も適宜選択することができる。（図２参照）
【００１６】
そして、図５にみられるように、回転刃５をその先端部が回転軸６の回転方向（実線矢印）に対して後退するように配設した場合には、回転刃５に巻付いたごみ３０が白抜き矢印方向に抜け易くなるので好ましい。
【００１７】
先端部に櫛歯状の刃先１７を有する固定刃７は、台座９に着脱可能に固定し、この台座９を、例えば油圧シリンダー１０によりスライド可能に構成した場合には、処理するごみ袋の内容に応じて回転刃５と固定刃７の間隔を調整することができるので好ましい。
また、運転中に装置が停止したときや、装置を修理する際にも、台座９とともに固定刃をスライド後退させることによって簡単に補修できるので、装置の稼働率を大幅に向上させることができる。
【図面の簡単な説明】
【００１８】
【図１】本発明の破袋装置の１例を示す模式図である。
【図２】図１の破袋装置の破袋室の模式図（平面図）である。
【図３】図１の破袋装置の破袋室の模式図（左側正面図）である。
【図４】図１の破袋装置の巻付き切断刃の作用を説明する図である。
【図５】本発明の破袋装置で使用する回転刃の１例を示す図である。
【符号の説明】
【００１９】
１                  破袋装置
２                  ホッパー
３                  ベルトコンベア
４                  破袋室
５                  回転刃
６                  回転軸
７                  固定刃
８                  巻付き切断刃
９                  台座
１０                油圧シリンダー
１１                排出口
１６                動力伝達側
１７                刃先
２１、２２、２３    ガイド板
３０                ごみ
８１                軸挿通孔
８２                保持軸
８３                刃面
【図１】
2005246276.tif 000003
【図２】
2005246276.tif 000004
【図３】
2005246276.tif 000005
【図４】
2005246276.tif 000006
【図５】
2005246276.tif 000007